(57)【要約】【課題】  データ内容の重要性の判断に時間がかかるため、インデックス情報を挿入しようとしたときのタイミングでは所望の位置にインデックス情報を挿入できない。【解決手段】  記録媒体（７）に対してデータの頭出しを行うためのインデックス情報を記録するためのインデックス記録方法であって、インデックス挿入信号を発信し、該インデックス挿入信号の発信時におけるデータ記録又は再生中の記録媒体のアドレスを１次アドレス（Ａ１）として取得し、該１次アドレス（Ａ１）から所定時間分遡った時点のアドレスを２次アドレス（Ａ２）とし、該２次アドレス（Ａ２）を前記記録媒体に前記インデックス情報として記録する。【選択図】    図４
2005251360.tif 000002
【特許請求の範囲】
【請求項１】
記録媒体（７）に対してデータの頭出しを行うためのインデックス情報を記録するためのインデックス記録方法であって、
前記インデックス情報を記録媒体に挿入するためのインデックス挿入信号を発信し、
該インデックス挿入信号の発信時におけるデータ記録又は再生中の記録媒体のアドレスを１次アドレス（Ａ１）として取得し、
該１次アドレス（Ａ１）から所定時間分遡った時点のアドレスを２次アドレス（Ａ２）とし、該２次アドレス（Ａ２）を前記記録媒体に前記インデックス情報として記録する、ことを特徴とするインデックス記録方法。
【請求項２】
前記インデックス挿入信号はインデックス挿入スイッチ（９Ｂ）の操作により発信され、
所定期間内のインデックス挿入スイッチの操作回数に対応して、前記１次アドレス（Ａ１）と２次アドレス（Ａ２）との間の前記所定時間分が決定される、ことを特徴とする請求項１に記載のインデックス記録方法。
【請求項３】
前記インデックス挿入信号はインデックス挿入スイッチ（９Ｂ）の操作により発信され、
前記インデックス挿入スイッチ（９Ｂ）が操作されている時間の長さに対応して、前記１次アドレス（Ａ１）と２次アドレス（Ａ２）との間の前記所定時間分が決定される、ことを特徴とする請求項１に記載のインデックス記録方法。
【請求項４】
記録媒体（７）に対してデータの頭出しを行うためのインデックス情報を記録可能な機能を備えたデータ記録再生装置（１）であって、
前記記録媒体（７）へのデータの記録又は再生を制御するマイクロコンピュータ（８）と、
インデックス挿入信号を前記マイクロコンピュータに発信するために押圧されるインデックス挿入スイッチ（９Ｂ）と、を備え、
前記マイクロコンピュータ（８）は、インデックス挿入信号を発信したときに、データを記録又は再生している記録媒体（７）のアドレスを１次アドレス（Ａ１）として処理し、
前記１次アドレス（Ａ１）から所定時間分だけ遡ったアドレスを２次アドレスとし、該２次アドレス（Ａ２）をインデックス情報として記録媒体に記録する、ことを特徴とするデータ記録再生装置。
【請求項５】
前記インデックス挿入信号はインデックス挿入スイッチ（９Ｂ）の操作により発信され、
所定期間内のインデックス挿入スイッチが信号が操作された回数に対応して、前記１次アドレス（Ａ１）と２次アドレス（Ａ２）との間の前記所定時間分が決定される、ことを特徴とする請求項４に記載のデータ記録再生装置。
【請求項６】
前記インデックス挿入信号はインデックス挿入スイッチ（９Ｂ）の操作により発信され、
前記インデックス挿入スイッチ（９Ｂ）が操作されている時間の長さに対応して、前記１次アドレス（Ａ１）と２次アドレス（Ａ２）との間の前記所定時間分が決定される、ことを特徴とする請求項４に記載のデータ記録再生装置。
【発明の詳細な説明】
【技術分野】
【０００１】
本発明は、音声、画像などを記録及び／又は再生する記録及び／又は再生装置に用いられ、インデックスマーク、頭出しポイント、タイムスタンプなどと称されるインデックス情報を記録媒体に記録するインデックス記録方法及びデータ記録再生装置に関する。
【背景技術】
【０００２】
従来、記録媒体に記録された音声、画像などのデータの重要な部分の位置にインデックスマーク、頭出しポイント、タイムスタンプなどと称される位置情報（以下、「インデックス情報」という。）を記録する技術がある。このようなインデックス情報が記録された記録媒体を再生する場合、記録媒体の停止中又は再生中にインデックス情報が記録された位置を検索し該位置からの再生を即座に可能にすることができるためである。
このようなインデックス情報を記録媒体に記録する技術とは、以下に示す特許文献１に開示されている。
【特許文献１】特開平０５−１９８８８２号
【発明の開示】
【発明が解決しようとする課題】
【０００３】
上記特許文献１は、記録再生装置に関し、より詳細には、半導体メモリと、前記半導体メモリにデータを記録するデータ記録手段と、前記記録データの記録開始位置などの指標データを記録データ毎に記録する指標データ記録手段と、前記指標データに基づいて、データを再生するデータ再生手段とを有する記録再生装置に関するものである。
この装置を使用すると、使用者は音声を記録中に、その内容が重要であると思った際に、該内容を後で検索しやすくするためにドキュメントマーク（インデックス情報）を挿入する。このドキュメントマークを挿入するには、ドキュメントマークキーを操作することにより、キーが操作されたときに記録していたアドレスをインデックスデータとしてインデックスデータ記録領域に記録する。
そして、音声データの再生中に、インデックスデータの読み出しが指示されると、上記インックスデータとして記録されたアドレスからの音声データの再生が開始される。
【０００４】
ところが、例えば、会話を録音中に「重要な内容である」と判断できるのは、その内容の会話が始まってからある程度時間が経過した時点であることがほとんどである。そのため、再生時にインデックス情報を検索しても重要な内容の始めから再生することはできないという問題がある。
【０００５】
本発明は、かかる問題点を解決するために創案されたものである。すなわち、本発明の目的は、使用者がデータを記録又は再生中にインデックス挿入スイッチを押圧した時点よりも遡った位置にインデックス情報を記録することができるようにしたインデックス記録方法及びデータ記録再生装置を提供することにある。
【課題を解決するための手段】
【０００６】
上記課題を解決するため、請求項１に記載の発明は、記録媒体（７）に対してデータの頭出しを行うためのインデックス情報を記録するためのインデックス記録方法であって、インデックス挿入信号を発信し、該インデックス挿入信号の発信時におけるデータ記録又は再生中の記録媒体のアドレスを１次アドレス（Ａ１）として取得し、該１次アドレス（Ａ１）から所定時間分遡った時点のアドレスを２次アドレス（Ａ２）とし、該２次アドレス（Ａ２）を前記記録媒体に前記インデックス情報として記録することを特徴とする。
【０００７】
請求項２に記載の発明は、前記インデックス挿入信号はインデックス挿入スイッチ（９Ｂ）の操作により発信され、所定期間内のインデックス挿入スイッチの操作回数に対応して、前記１次アドレス（Ａ１）と２次アドレス（Ａ２）との間の前記所定時間分が決定されることを特徴とする。
【０００８】
請求項３に記載の発明は、前記インデックス挿入信号はインデックス挿入スイッチ（９Ｂ）の操作により発信され、前記インデックス挿入スイッチ（９Ｂ）が操作されている時間の長さに対応して、前記１次アドレス（Ａ１）と２次アドレス（Ａ２）との間の前記所定時間分が決定されることを特徴とする。
【０００９】
請求項４に記載の発明は、記録媒体（７）に対してデータの頭出しを行うためのインデックス情報を記録可能な機能を備えたデータ記録再生装置（１）であって、前記記録媒体（７）へのデータの記録又は再生を制御するマイクロコンピュータ（８）と、インデックス挿入信号を前記マイクロコンピュータに発信するために押圧されるインデックス挿入スイッチ（９Ｂ）と、を備え、前記マイクロコンピュータ（８）は、インデックス挿入信号を発信したときに、データを記録又は再生している記録媒体（７）のアドレスを１次アドレス（Ａ１）として処理し、前記１次アドレス（Ａ１）から所定時間分だけ遡ったアドレスを２次アドレスとし、該２次アドレス（Ａ２）をインデックス情報として記録媒体に記録することを特徴とする。
【００１０】
請求項５に記載の発明は、前記インデックス挿入信号はインデックス挿入スイッチ（９Ｂ）の操作により発信され、所定期間内のインデックス挿入スイッチの操作回数に対応して、前記１次アドレス（Ａ１）と２次アドレス（Ａ２）との間の前記所定時間分が決定されることを特徴とする。
【００１１】
請求項６に記載の発明は、前記インデックス挿入信号はインデックス挿入スイッチ（９Ｂ）の操作により発信され、前記インデックス挿入スイッチ（９Ｂ）が操作されている時間の長さに対応して、前記１次アドレス（Ａ１）と２次アドレス（Ａ２）との間の前記所定時間分が決定されることを特徴とする。
【発明の効果】
【００１２】
請求項１及び請求項４に記載の発明によれば、かかる記録方法により記録された記録媒体の再生時に、インデックス情報を検索して再生すれば、該位置は使用者がインデックス情報を記録した位置よりも時間軸方向に所定時間遡った位置であるため、録音内容が使用者がインデックス情報を記録した位置よりも時間軸に遡った位置から再生することができる。これにより、重要だと判断された内容の頭が切れることなく、最初から再生することができる。
また、記録及び再生機能を有する上記データ記録再生装置以外の、たとえば、再生機能のみを有するデータ再生装置であっても、インデックス検索機能を有していれば、上記インデックス情報を記録した記録媒体の再生時に、インデックス情報を検索して、重要な内容の初めから再生させることができる。
【００１３】
請求項２、請求項３、請求項５及び請求項６に記載の発明によれば、インデックスを記録したときの状態、すなわち、重要な内容の会話が始まってからの経過時間は使用者がある程度認識しているため、その経過時間を考慮してインデックス挿入スイッチの操作回数又は操作時間を決定すれば、重要な内容の会話を最初から再生することができる。
【発明を実施するための最良の形態】
【００１４】
記録媒体における所望の位置から再生しようという目的を、インデックス挿入スイッチを押圧した時点より時間軸方向に遡ったアドレスをインデックス情報として記録することで実現した。
【実施例１】
【００１５】
以下、本発明の好ましい実施例１を図１乃至図４を参照して説明する。本発明の実施例１は、音声を記録媒体として不揮発性の半導体メモリに記録する音声記録再生装置（ボイスレコーダー、ＩＣレコーダーなどと称される。）に適用したものである。図１は実施例１を説明するための概略図、図２はインデックス情報の記録媒体への記録する手順を説明するフロー図、図３は音声データを記録中にインデックス情報を挿入する動作を説明する説明図、図４はインデックス挿入スイッチとプレインデックス情報及びインデックス情報との関係を示す概念図である。
【００１６】
この実施例１にかかる音声記録再生装置１は、記録時に音声をアナログ音声信号に変換するマイクロフォンからなる音声入力部２と、該音声入力部２で生成されたアナログ音声信号をデジタル音声信号に変換するアナログ／デジタルコンバータ（以下、Ａ／Ｄコンバータと称する。）３と、該Ａ／Ｄコンバータ３で変換されたデジタル音声信号を所定の圧縮デジタル音声データに変換すると共に圧縮デジタル音声データをデジタル音声信号に伸張するデジタル信号プロセッサ（以下、ＤＳＰと称する。）４と、該ＤＳＰ４で伸張されたデジタル音声信号をアナログ音声信号に変換するデジタル／アナログコンバータ（以下、Ｄ／Ａコンバータと称する。）５と、該Ｄ／Ａコンバータ５で生成されたアナログ音声信号によってスピーカを駆動して音声を出力する音声出力部６と、前記ＤＳＰ４で変換された圧縮デジタル音声データを記録媒体７に順次記録させる記録動作を制御すると共に、前記記録媒体７に記録された圧縮デジタル音声データを順次読み出して前ＤＳＰ４に供給する再生動作を制御するマイクロコンピュータ（以下、マイコンと称する。）８と、このマイコン８に対して、各種操作指示信号を供給する操作部９と、前記マイコン８の制御の下に、前記記録媒体７から読み出し再生したデジタル音声データを基に各種表示を行うための表示制御部１０及び表示部１１からなっている（図１参照）。
【００１７】
操作部９は、記録開始、記録停止、再生開始、再生停止等の操作指示を行う音声記録再生操作スイッチ９Ａと、インデックス挿入を指示するインデックス挿入スイッチ９Ｂと、記録媒体７に記録されたインデックス情報の検索を指示するインデックスサーチスイッチ９Ｃ等を含む各種操作スイッチからなっている（図１参照）。なお、本実施例においては、各操作スイッチの操作はそのスイッチを押圧することで行うが、本発明はこれに限るものではない。
【００１８】
また、マイコン８は、押圧されたスイッチに対応して記録、再生、停止、インデックス情報の挿入等の動作モードを設定し、その動作モードに応じて、ＤＳＰ４の動作や、記録媒体７ヘのデジタル音声データの書き込み、及び読み出しを制御し、さらに表示部１１に動作モード情報、カウンタ情報、あるいはインデックス情報等の表示を行わせるために表示制御部１０の制御を行う。
【００１９】
このような構成の音声記録再生装置１は、操作部９の音声記録再生操作スイッチ９Ａの記録開始スイッチが押圧されると、マイコン８は、ＤＳＰ４を駆動制御して、Ａ／Ｄコンバータ３で変換されたデジタル音声信号を圧縮デジタル音声データに変換し、その圧縮デジタル音声データを記録媒体７に順次記録する。操作部９の音声記録再生操作スイッチ９Ａの記録停止スイッチが押圧されると、ＤＳＰ４の駆動動作を停止すると共に、記録媒体７への圧縮デジタル音声データの記録を停止する。
【００２０】
また、操作部９の音声記録再生操作スイッチ９Ａの再生開始スイッチが押圧されると、マイコン８は、記録媒体７に記録されている圧縮デジタル音声データを順次読み出すと共に、ＤＳＰ４を駆動制御して、記録媒体７から読み出した圧縮デジタル音声データを伸張してデジタル音声信号に変換し、そのデジタル音声信号をＤ／Ａコンバータ５と音声出力部９を介して音声出力する。
【００２１】
次に、記録媒体７に音声データの記録中にインデックス情報を記録する場合について図２を用いて説明する。
【００２２】
記録媒体７に音声データの記録中（Ｓ１）に、インデックス情報を挿入したい部分でインデックス挿入スイッチ９Ｂを押圧する（Ｓ２）。すると、マイコン８はこのインデックス挿入スイッチ９Ｂからのインデックス挿入信号の発信をトリガーとし、その時点において音声データを記録しようとしている記録媒体７のアドレスを１次アドレスＡ１とし、該１次アドレスＡ１をプレインデックス情報としてマイコン８内のインデックス情報バッファ８Ａに一時保存する（Ｓ３）。
【００２３】
そして、操作部９の音声記録再生操作スイッチ９Ａの記録停止スイッチを押圧して（Ｓ４）、記録媒体７への音声データの記録を停止すると（Ｓ５）、マイコン８のインデックス情報バッファ８Ａに一時保存されたプレインデックス情報は上記インデックス挿入スイッチ９Ｂが押圧された時点の上記１次アドレスＡ１から時間軸方向に遡って所定時間前（例えば、３０秒前）のアドレスを２次アドレスＡ２とし、該２次アドレスＡ２をインデックス情報として記録媒体７に記録する（Ｓ６）。
なお、インデックス情報バッファ８Ａに保存されたプレインデックス情報は、音声データの記録終了後でなくても、その記録中に送出してインデックス情報として順次記録媒体７に記録するようにしても良い。
【００２４】
また、記録媒体７は、音声データを記録するメインデータ領域７Ａとインデックス情報を記録するインデックスデータ領域７Ｂとを有し（図３参照）、上記インデックス情報バッファ８Ａに一時保存されたプレインデックス情報が送出されてインデックス情報として記録媒体７に記録されるときには、上記インデックスデータ領域７Ｂに記録される（図４参照）。
【００２５】
次に、音声データが記録された記録媒体７を再生するには、音声記録再生操作スイッチ９Ａの再生開始スイッチを押圧することにより行う。
そして、インデックス情報として記録された２次アドレスＡ２に記録された音声データを再生するには、操作部９のインデックスサーチスイッチ９Ｃを押圧する。なお、このインデックスサーチスイッチ９Ｃの押圧は、音声データの再生時、早送り時、早戻し時或いは停止時であっても良い。
操作部９のインデックスサーチスイッチ９Ｃを押圧すると、マイコン８は、記録媒体７のインデックスデータ領域７Ｂのインデックス情報を検索し、該インデックスデータ領域７Ｂに記録された２次アドレスＡ２を呼び出す。そして、音声データ領域７Ａ内の上記２次アドレスＡ２に記録された音声データから再生が開始される。
【００２６】
かかるインデックス情報として記録された２次アドレスＡ２は、上述のように、使用者が音声データの記録中にインデックス挿入スイッチ９Ｂを押圧した時点（１次アドレスＡ１）よりも所定時間（３０秒）前の時点のアドレスであるため、再生される音声データは使用者がインデックス挿入スイッチ９Ｂを押圧した時点より３０秒前から音声データの再生が開始されることになる。
したがって、使用者が音声を記録中、重要だと判断してインデックス挿入スイッチ９Ｂを押圧した時点のアドレス（１次アドレスＡ１）よりも３０秒前のアドレス（２次アドレスＡ２）に記録された音声データから再生することができ、重要な内容の音声データをその初めから聞くことができる。なお、上記インデックス情報は、同様の操作を繰り返すことにより音声データの複数個所に設定することも可能である。
【００２７】
なお、上記実施例１にあっては、音声データの記録時にインデックス挿入スイッチを押圧する場合について説明したが、本発明インデックス記録方法は音声データの再生時にも適用することができる。
すなわち、記録媒体７を再生中に「音声データの内容が重要だ」と判断する場合があり、このようなときに、前記インデックス挿入スイッチ９Ｂを押圧する。これにより、その押圧した位置から時間軸方向に遡って所定時間前のアドレスを２次アドレスＡ２とし、該２次アドレスＡ２をインデックス情報として記録媒体７に記録する。
そして、次にこの記録媒体７を再生しているときに、上記インデックスサーチスイッチ９Ｃを押圧すれば、上記２次アドレスＡ２に記録された音声データから再生が開始される。この２次アドレスＡ２は上述したように、その前に再生していたときにインデックス挿入スイッチ９Ｂを押圧した時点から時間軸方向に所定時間（３０秒）前に遡った位置であり、「内容が重要」と判断した時点より３０秒遡った時点である。したがって、重要と判断した部分をその当初から再生することができる。
【００２８】
次に、上記実施例１の変形例１について図５を参照して説明する。かかる変形例１は上記インデックス挿入スイッチ９Ｂの操作回数（スイッチを操作することにより発生するパルス信号のパルス回数）により、このインデックス挿入信号のパルス数に比例した時間分、インデックス挿入スイッチ９Ｂが押圧された時点の上記１次アドレスＡ１から遡った時点の２次アドレスＡ２を上記インデックス情報として記録媒体７に記録するようにしたものである。
【００２９】
具体的には、記録媒体７に音声データの記録中に、インデックス情報を挿入したい部分でインデックス挿入スイッチ９Ｂを２回押圧すると、マイコン８はこのインデックス挿入スイッチ９Ｂが押圧された時点において音声データを記録しようとしている記録媒体７の１次アドレスＡ１とともにインデックス挿入スイッチ９Ｂの押圧回数（スイッチを操作することにより発生するパルス信号のパルス回数）をプレインデックス情報としてマイコン８内のインデックス情報バッファ８Ａに一時保存する。
【００３０】
そして、操作部９の音声記録再生操作スイッチ９Ａの記録停止スイッチを押圧して、記録媒体７への音声データの記録を停止すると、マイコン８のインデックス情報バッファ８Ａに一時保存されたプレインデックス情報は上記インデックス挿入スイッチ９Ｂが押圧された時点の上記１次アドレスＡ１から時間軸方向に遡った所定時間（３０秒）とインデックス挿入スイッチ９Ｂの押圧回数（パルス回数）とを乗算した時間前（例えば、３０秒×２＝１分前）の２次アドレスＡ２をインデックス情報として記録媒体７に記録する。
【００３１】
これにより、操作部９のインデックスサーチスイッチ９Ｃが押圧されると、マイコン８は、記録媒体７のインデックスデータ領域のインデックス情報を検索し、該インデックスデータ領域に記録された２次アドレスＡ２を呼び出す。そして、音声データ領域内の上記２次アドレスＡ２に記録された音声データから再生が開始される。
【００３２】
かかるインデックス情報が記録された２次アドレスＡ２は、上述のように、使用者が音声データの記録中にインデックス挿入スイッチ９Ｂを押圧した位置（１次アドレスＡ１）よりも所定時間（１分）前の時点であるため、再生される音声は使用者がインデックス挿入スイッチ９Ｂを押圧した時点のアドレス（１次アドレス１Ａ）より１分前のアドレス（２次アドレスＡ２）に記録された音声データから再生が開始されることになる。
したがって、使用者が音声を記録中、重要だと判断してインデックス挿入スイッチ９Ｂを押圧した時点よりも１分前のアドレス（２次アドレスＡ２）に記録された音声データから再生することができ、重要だと判断した音声データの初めから聞くことができる。
このようにすると、重要だと判断できた時点（１次アドレスＡ１）からその内容の初めまでを使用者がある程度予測できるため、その経過時間を考慮してインデックス挿入スイッチ９Ｂのパルス回数、すなわちインデックス挿入スイッチの操作回数を決定すれば、インデックス情報の挿入位置をほぼ的確に設定することができる。
【００３３】
なお、この変形例１においては、インデックス挿入スイッチ９Ｂの押圧を１回のときに３０秒前に遡るようにしたが、本発明はこれに限らず、１回目の押圧では遡らず、２回目の押圧で３０秒前、３回目の押圧で１分前というようにしても良い。このようにすると、これから重要な内容になることがあらかじめ分かっているときであっても、インデックス挿入スイッチ９Ｂを１回押圧することで、その押圧した時点のアドレスにインデックス情報を記録することができる。
【００３４】
また、上記実施例１及び変形例１において、インデックス挿入スイッチ９Ｂの１回の押圧で「３０秒」の時間軸方向へ遡るようにしたが、かかる時間は「１０秒」「１５秒」「２０秒」などとしても良い。さらに、遡る時間は、インデックス挿入スイッチ９Ｂのパルス回数（インデックス挿入スイッチの操作回数）に比例させるのではなく、例えば、インデックス挿入スイッチ９Ｂの１回目の押圧は「３０秒」２回目の押圧は「１０秒」３回目の押圧も「１０秒」というように操作回数により遡る時間を異ならせるようにすることもできる。
【００３５】
次に、上記実施例１の変形例２について図６を参照して説明する。かかる変形例２は上記インデックス挿入スイッチ９Ｂを押圧している時間（スイッチを操作することにより発生するパルス信号のパルス長）に比例した時間分、インデックス挿入スイッチ９Ｂが押圧された時点の上記１次アドレスＡ１から遡った時点の２次アドレスＡ２を上記インデックス情報として記録媒体７に記録するようにしたものである。
【００３６】
具体的には、記録媒体７に音声データの記録中に、インデックス情報を挿入したい部分でインデックス挿入スイッチ９Ｂをたとえば１０秒間押圧すると、マイコン８はこのインデックス挿入スイッチ９Ｂが押圧された時点において音声データを記録しようとしている記録媒体７の１次アドレスＡ１とともに押圧されていた時間の長さ、すなわちインデックス挿入信号のパルス長をプレインデックス情報としてマイコン８内のインデックス情報バッファ８Ａに一時保存する。
【００３７】
そして、操作部９の音声記録再生操作スイッチ９Ａの記録停止スイッチを押圧して、記録媒体７への音声データの記録を停止すると、マイコン８のインデックス情報バッファ８Ａに一時保存されたプレインデックス情報は上記インデックス挿入スイッチ９Ｂが押圧された時点の上記１次アドレスＡ１からインデックス挿入スイッチ９Ｂが押圧されていた時間（１０秒間）分遡った時点の２次アドレスＡ２をインデックス情報として記録媒体７に記録する。
【００３８】
これにより、操作部９のインデックスサーチスイッチ９Ｃが押圧されると、マイコン８は、記録媒体７のインデックスデータ領域のインデックス情報を検索し、該インデックスデータ領域に記録された２次アドレスＡ２を呼び出す。そして、音声データ領域内の上記２次アドレスＡ２に対応した音声データが再生される。
【００３９】
かかるインデックス情報が記録された２次アドレスＡ２は、上述のように、使用者が音声データの記録中にインデックス挿入スイッチ９Ｂを押圧した位置（１次アドレスＡ１）よりもインデックス挿入スイッチ９Ｂの押圧されていた時間（１０秒分）前の時点であるため、再生される音声は使用者がインデックス挿入スイッチ９Ｂを押圧した時点より１０秒前のアドレス（２次アドレスＡ２）に記録された音声データから再生が開始されることになる。
【００４０】
したがって、使用者が音声を記録中、重要だと判断してインデックス挿入スイッチ９Ｂを押圧した時点よりも１０秒前のアドレス（２次アドレスＡ２）に記録された音声データから再生することができ、重要だと判断した音声データをその初めから聞くことができる。
このようにすると、重要だと判断できた時点からその内容の初めまでを使用者がある程度予測できるため、その経過時間を考慮してインデックス挿入スイッチ９Ｂを押圧している時間を決定すれば、インデックス情報の挿入位置をきめ細かに設定することができる。
【００４１】
なお、この変形例２においては、インデックス挿入スイッチ９Ｂを押圧している時間と遡る時間とを一致させたが、本発明はこれに限らず、インデックス挿入スイッチ９Ｂを押圧している時間に対して所定の係数（たとえば２）をかけた時間分遡るようにしても良い。たとえば、インデックス挿入スイッチ９Ｂを１０秒間の押圧していた場合には、１０秒×２＝２０秒間分遡るようにする。
また、上記変形例１とこの変形例２とを組み合わせるようにしても良い。すなわち、１回目のスイッチの押圧により所定時間分遡らせ、２回目のスイッチの押圧では、その押圧時間に対応させた時間分遡らせるようにしても良い。
さらに、例えば、切替スイッチを設け、スイッチの押圧回数に対応した所定時間分遡らせるか、スイッチの押圧時間に対応した所定時間分遡らせるかを選択できるようにしても良い。
【００４２】
上記実施例１及び各変形例においては、インデックス挿入スイッチ９Ｂを音声データの記録中に押圧してインデックス情報を記録媒体７に記録するようにしたが、本発明はこれに限らず、音声データの再生中にインデックス挿入スイッチ９Ｂを押圧することで、インデックス情報を記録媒体７に記録するようにしても良い。かかる場合、再生中の記録媒体７にインデックス情報を記録することができるため、複数回再生する場合に有用である。
また、実施例１及び各変形例においては音声記録再生装置を例に挙げて説明したが、本発明はこれに限らず、主たる記録データが画像データであっても良い。
さらに、上記実施例１及び各変形例においては、記録媒体７として半導体メモりを用いた音声記録再生装置を例に挙げて説明したが、本発明はこれに限らず、ディスク状記録媒体、テープ状記録媒体などを記録媒体とするものであっても良い。
【産業上の利用可能性】
【００４３】
本発明はボイスレコーダーの他、ＭＤ（mini disk）レコーダー又はプレーヤー、テープレコーダー又はプレーヤー、ＤＶＤ（Digital Versatile Disk）レコーダー又はプレーヤーなどにも適用することができる。もちろん、記録データは音声データに限らず画像データであっても良い。
さらには、請求項１乃至請求項３に記載の発明にあっては、主たる記録データに関しては再生機能のみを備えた再生装置であっても、インデックス情報だけは記録することができるようにしたものにも適用することができる。
【図面の簡単な説明】
【００４４】
【図１】図２乃至図４とともに実施例１を説明するためのもので、本図は記録再生装置の概略図である。
【図２】インデックス情報の記録媒体への記録する手順を説明するフロー図である。
【図３】音声データを記録中にインデックス情報を挿入する動作を説明する説明図である。
【図４】インデックス挿入スイッチとプレインデックス情報及びインデックス情報との関係を示す概念図である。
【図５】変形例１を説明するためのもので、インデックス挿入スイッチとプレインデックス情報及びインデックス情報との関係を示す概念図である。
【図６】変形例２を説明するためのもので、インデックス挿入スイッチとプレインデックス情報及びインデックス情報との関係を示す概念図である。
【符号の説明】
【００４５】
１  音声記録再生装置
２  音声入力部１
３  Ａ／Ｄコンバータ
４  ＤＳＰ
５  Ｄ／Ａコンバータ
６  音声出力部
７  記録媒体
８  マイコン
８Ａ  インデックス情報バッファ
９  操作部
９Ａ  音声記録再生操作スイッチ
９Ｂ  インデックス挿入スイッチ
９Ｃ  インデックスサーチスイッチ
１０  表示制御部
１１  表示部
Ａ１  押圧時点のアドレス
Ａ２  遡った時点のアドレス
【図１】
2005251360.tif 000003
【図２】
2005251360.tif 000004
【図３】
2005251360.tif 000005
【図４】
2005251360.tif 000006
【図５】
2005251360.tif 000007
【図６】
2005251360.tif 000008